(57)【特許請求の範囲】
【請求項１】
引戸の片面に凹設された有底の、または両面に貫通状態に形成された引手嵌着部に取り付けられる本体と、引戸への本体の片面取り付けの場合、引手嵌着部の底に固定されて本体を引手嵌着部に取り付け、引戸への両面取り付けの場合、引手嵌着部内において対向する本体の底壁の間に配設され、両本体を連結して引手嵌着部に両側から取り付けるアタッチメントとで構成される建具用引手であって、
本体は、指掛用の凹部が形成された引手本体、及び該引手本体の開口周辺に延出されたフランジとで構成され、
前記引手本体の両外側面に第２係合部と、該引手本体の底壁よりも背方に突出し、該突出部分にコ形部を前記底壁に沿わせて形成した係止部材で構成した第１係合部とが所定間隔で複数設けられており、
アタッチメントには、
本体の第２係合部に係合する係止片と、両面取り付け時に一方の本体の第２係合部に前記係止片を係合させた状態において、他方の本体のコ形部に挟着される凸部とが側縁部に形成されていることを特徴とする建具用引手。
【請求項２】
第２係合部と係止片の対向面に本体の長手方向に向けて伸びる山形状に連続する外側面噛合部と内側面噛合部とが刻設されていることを特徴とする請求項１に記載の建具用引手。
【請求項３】
アタッチメントを長手方向に対して直交する方向にて分割し、その一方の分割面と他方の分割面とを突き合わせて連結する突合連結部を該分割面に形成し、
分割された上・下部アタッチメントの側縁部に形成した側縁係合部の凸部が挟着されるコ形部を引手本体の長辺方向端部側に開口するように形成されていることを特徴とする請求項１又は２に記載の建具用引手。
【請求項４】
請求項１〜３のいずれかに記載の建具用引手を具備した引戸に関し、
引戸の片面に建具用引手が装着された場合は、引戸の片面に形成された有底の引手嵌着部の開口方向に向けて係止片を立設した状態で引手嵌着部の底部にアタッチメントが固定され、引手嵌着部に装着された本体の第２係合部にアタッチメントの係止片が係合され、
引戸の両面に建具用引手が装着された場合は、引手嵌着部内において対向する本体の底壁間にアタッチメントが配設され、
一方の本体の底壁から他方の本体に向けて係止片が立設して他方の本体の第２係合部に係合するようにアタッチメントの側縁部に形成された凸部が一方の本体のコ形部に挟着されていることを特徴とする引戸。
【発明の詳細な説明】
【技術分野】
【０００１】
本発明は、引手を引戸の片面或いは両面に共通して適用することが可能な建具用引手と該引手を利用した引戸に関する。
【背景技術】
【０００２】
従来、引手は様々な種類の建具に用いられており、引手の形状も方形、円形、長円形等が用いられ、さらに用途に応じた向きに取り付けられる。また、引戸の表裏両面に取り付けられる両面取付型と、引戸の片面に取り付けられる片面取付型との２種類が採用されている。
【０００３】
例えば、両面取付型の一例として特許文献１（図６）に開示されている引手の場合、引戸の開閉操作部位に貫通孔を開口し、その開口部を貫通する両側から連結用の波形取付部を内端部に有する介助板を取り付け、その内端部で両側から臨ませた互いの波形取付部を連結させて引戸の両側に引手取付用の凹状空間を構成し、ここに両側から各引手を押し込むだけで引手の両面取り付けを可能にしている。しかし、この場合は引戸の表裏に取り付けられる両面取付専用となり、引戸への片面取り付けができなかった。
【０００４】
一方、片面取付型の一例として特許文献２（図２）に開示されている引手の場合は、縦長の引手本体の背面側上部と下部に、引戸の引手嵌着部に食い込ませる弾性係止部材を付設することにより、引戸の片面に引手を取り付ける引手が提案されており、両面への取り付けは出来ず、いずれの場合でも１種類の引手で両面取付型と片面取付型の共用ができなかった。
【０００５】
その他、上記片面取付型引手では、弾性係止部材の弾性力に抗する外力、例えば引戸の反りに伴って引手が変形する場合、或いは弾性係止部材の弾性力（喰い込み力）が不十分な場合は引戸への取付後において、開閉時に意図せず引手が離脱するおそれがあった。
【０００６】
特に、長尺引手の場合は、長尺引手の背面側上部と下部のみが弾性係止部材で支持されることになり、長尺引手の中央部を保持する力がないので外れ易く、該長尺引手の変形、反り、及び長尺引手の側部で浮き等の不安定な取付状態となってしまう問題も有していた。
【先行技術文献】
【特許文献】
【０００７】
【特許文献１】特開２０１２−１６７５１１号公報
【特許文献２】特開２０１２−２１５０２１号公報
【発明の概要】
【発明が解決しようとする課題】
【０００８】
このような問題に鑑み本発明は、１種類で引戸への引手の片面取付、或いは両面取付を可能にし、しかも長尺引手であっても、反り、変形、浮き、離脱等の不安定な要素を解消して長尺引手を安定して取り付けることができる建具用引手を提供することを主たる目的とする。また、上記建具用引手を利用した引戸の提供を従たる目的とする。
【課題を解決するための手段】
【０００９】
請求項１に記載した発明は、引戸５の片面に凹設された有底の、または両面に貫通状態に形成された引手嵌着部６に取り付けられる本体２と、引戸５への本体２の片面取り付けの場合、引手嵌着部６の底に固定されて本体２を引手嵌着部６に取り付け、引戸５への両面取り付けの場合、引手嵌着部６内において対向する本体２の底壁１１ｂの間に配設され、両本体２を連結して引手嵌着部６に両側から取り付けるアタッチメント３とで構成される建具用引手１であって、
本体２は、指掛用の凹部１１ａが形成された引手本体１０、及び該引手本体１０の開口周辺に延出されたフランジ２０とで構成され、
前記引手本体１０の両外側面１１ｄに第２係合部１５と、該引手本体１０の底壁１１ｂよりも背方に突出し、該突出部分１４ｃにコ形部１４ｂを前記底壁１１ｂに沿わせて形成した係止部材１４ａで構成した第１係合部１４とが所定間隔で複数設けられており、
アタッチメント３には、
本体２の第２係合部１５に係合する係止片３３と、両面取り付け時に一方の本体２の第２係合部１５に前記係止片３３を係合させた状態において、他方の本体２のコ形部１４ｂに挟着される凸部３２ｂとが側縁部３１に形成されていることを特徴とする。
【００１０】
請求項２に記載した発明は、請求項１に記載の建具用引手１に関し、
第２係合部１５と係止片３３の対向面に本体２の長手方向に向けて伸びる山形状に連続する外側面噛合部１５ｂと内側面噛合部３３ａとが刻設されていることを特徴とする。
【００１１】
請求項３に記載した発明は、請求項１又は２に記載の建具用引手１に関し、
前記アタッチメント３を長手方向に対して直交する方向にて分割し、その一方の分割面４１と他方の分割面４２とを突き合わせて連結する突合連結部４を該分割面４１，４２に形成し、
分割された上・下部アタッチメント３ａ，３ｂの側縁部３１に形成した側縁係合部３２の凸部３２ｂが挟着されるコ形部１４ｂを引手本体１０の長辺方向端部１６ａ，１６ｂ側に開口するように形成されていることを特徴とする。
【００１２】
請求項４に記載した発明は、請求項１〜３のいずれかに記載の建具用引手１を具備した引戸５に関し、
引戸５の片面に建具用引手１が装着された場合は、引戸５の片面に形成された有底の引手嵌着部６の開口方向に向けて係止片３３を立設した状態で引手嵌着部６の底部にアタッチメント３が固定され、引手嵌着部６に装着された本体２の第２係合部１５にアタッチメント３の係止片３３が係合され、
引戸５の両面に建具用引手１が装着された場合は、引手嵌着部６内において対向する本体２の底壁１１ｂ間にアタッチメント３が配設され、
一方の本体２の底壁１１ｂから他方の本体２に向けて係止片３３が立設して他方の本体２の第２係合部１５に係合するようにアタッチメント３の側縁部３１に形成された凸部３２ｂが一方の本体２のコ形部１４ｂに挟着されていることを特徴とする。
【発明の効果】
【００１３】
請求項１は、アタッチメント３が引手本体１０の底壁１１ｂに反転可能に取り付けでき、且つ、引戸５に凹設した有底の引手嵌着部６に固定可能であるので、引戸５の片面だけに装着する場合は、アタッチメント３を有底の引手嵌着部６に固定し、この固着されたアタッチメント３の係止片３３を引手本体１０の両外側面１１ｄの第２係合部１５に係止する。
【００１４】
両面装着の場合は、アタッチメント３付きの本体２を引戸５に形成した貫通状態の引手嵌着部６の一方の面に装着し、アタッチメント３のない他の本体２を引手嵌着部６の他方の面に装着し、アタッチメント３の係止片３３を他の本体２の第２係合部１５に係止する。これにより１種類の建具用引手１で、引戸５の片面装着と両面装着の共用が可能となる。
【００１５】
また、第２係合部１５と係止片３３とが本体２の外側面１１ｄ及びアタッチメント３に所定間隔で設けられているので、仮に建具用引手１が長尺であったとしても全体が引手嵌着部６に浮き上がりなく装着される。
【００１６】
そして、引手本体１０の底壁１１ｂよりも背方に突出したコ形部１４ｂにより、アタッチメント３の凸部３２ｂが挟着されるようになっているので、アタッチメント３を底壁１１ｂに沿ってスライドさせるだけで引手本体１０にアタッチメント３を固定できる。換言すれば、アタッチメント３を反転させたとしても底壁１１ｂに装着でき、上記引戸５の片面装着と両面装着の共用が可能となる。なお、請求項２のように、第２係合部１５と係止片３３の係合面に本体２の長手方向に向けて伸びる山形状に連続する外側面噛合部１５ｂと内側面噛合部３３ａとを刻設しておけば、引戸５の厚さの不揃いに対してはこれらの噛合深さによって調節できる。
【００１７】
請求項３に記載した発明は、アタッチメント３が分割され、且つ、分割された上・下部アタッチメント３ａ，３ｂの側縁部３１に形成した側縁係合部３２の凸部３２ｂが挟着されるコ形部１４ｂを引手本体１０の長辺方向端部１６ａ，１６ｂ側に開口するように形成されているので、上・下部アタッチメント３ａ，３ｂを引手本体１０の長辺方向端部１６ａ，１６ｂ側から中央方向にスライドさせて分割面４１，４２の突合連結部４を結合させれば、上・下部アタッチメント３ａ，３ｂは底壁１１ｂから脱落することはない。換言すれば、アタッチメント３を正転時または反転させて底壁１１ｂに装着した時、上・下部アタッチメント３ａ，３ｂの底壁１１ｂからの脱落はなく、これによって引戸５の片面装着と両面装着の共用が可能となる。
【００１８】
請求項４に記載した発明は、建具用引手１を具備した引戸５に、本発明のアタッチメント３を使用することで、１種類の建具用引手１で片面装着と両面装着のいずれでも任意に選択することができる。
【図面の簡単な説明】
【００１９】
【図１】(Ａ)は本発明の両面取付型として用いられる建具用引手の背面側を示す斜視図、(Ｂ)はその正面側を示す斜視図である。
【図２】(Ａ)は本発明の本体を示す斜視図、(Ｂ)は本発明のフランジを示す斜視図である。
【図３】(Ａ)は本発明の本体を示す底面図、(Ｂ)は同本体の図３(Ａ)のａ−ａ線矢視断面図である。
【図４】(Ａ)は本発明の建具用引手を示す平面図、(Ｂ)は同建具用引手の図４(Ａ)のａ−ａ線矢視断面図、(Ｃ)は本発明の本体の要部拡大底面図である。
【図５】(Ａ)は本発明のアタッチメントの分割された一方を示す平面図、(Ｂ)はアタッチメントの分割された他方を示す平面図である。
【図６】(Ａ)は本発明のアタッチメントの一方を示す側面図、(Ｂ)は図６(Ａ)の左側から見た側面図である。
【図７】(Ａ)は本発明のアタッチメントの連結前を示す平面図、(Ｂ)はそのアタッチメントの連結後を示す平面図である。
【図８】本発明の本体と両面取付型として用いられる向きのアタッチメントとを示す斜視図である。
【図９】本発明の建具用引手の本体が引戸の両面に取り付けられる両面取付型を示す斜視図である。
【図１０】本発明の建具用引手の本体が引戸の片面に取り付けられる片面取付型を示す斜視図である。
【図１１】本発明の建具用引手の本体が引戸の片面に取り付けられる片面取付型の使用状態を示す縦断面図である。
【発明を実施するための形態】
【００２０】
以下、本発明を図示実施例に従って説明する。図１〜図９は引戸５の両面に本体２を取り付ける両面取付型の建具用引手１の一例を示し、図１０と図１１は引戸５の片面に本体２を取り付ける片面取付型の建具用引手１の一例を示している。まず、両面取付型の建具用引手１を選択した場合について説明する。
【００２１】
図１(Ａ)は長尺の建具用引手１を示す背面側の外観を示し、図１(Ｂ)はその正面側の外観を示している。建具用引手１は船形状の本体２と、平板状のアタッチメント３とを組み合わせて構成される。
【００２２】
本体２は、長尺の引手本体１０と、これに取り付けられる長尺のフランジ２０とから構成される。このうち、引手本体１０は合成樹脂材を用いて一体成形され、その内・外表面にメッキや塗装等の表面処理を施したものであり、図２にも示すように大別して船形部１１と、被係止部１２と、船形部結合片１３と、第１係合部１４と、第２係合部１５とを備えて構成したものである。
【００２３】
まず、船形部１１は、長円形の凹部１１ａを有し、この長円形の凹部１１ａは親指以外の指先が一列に揃えて入り、その入る領域が長辺方向に十分に長くとった長尺形状を有しており、長円形の両端部は該凹部１１ａの底壁１１ｂから開口縁部１１ｃに向かって外広がりに傾斜し、底壁１１ｂは水平な平坦面を有している。
【００２４】
被係止部１２は、船形部１１の長辺方向両外側面（以下「外側面」と称す）１１ｄに突設したものであり、本実施例では３個１組（勿論、３個には限られない。）の小さな縦向きで平行な突片１２ａで構成している。突片１２ａの基部には突片１２ａを安定して形成するための補強部１２ｂを有している。また、被係止部１２は船形部１１の外側面１１ｄの長辺方向に沿って３個１組の複数個を略一定間隔毎(図では一側面に８組)に突出させて設けており、後述するフランジ２０の係着片２３に結合される。
【００２５】
船形部結合片１３は、船形部１１の長辺方向端部１６ａ，１６ｂに突出させたものであり、長辺方向に平行させた３枚の樹脂板１３ａ，１３ｂ，１３ｃを突出させている。３枚の樹脂板１３ａ，１３ｂ，１３ｃの上縁は船形部１１の開口に一致し、下縁は長辺方向端部１６ａ，１６ｂの中央部分に位置し、この内、中央に突出させた樹脂板１３ｂの下縁は両側の樹脂板１３ａ，１３ｃより一段低くし（換言すれば、上下の幅を小さくし）、後述するアタッチメント３の両端部（取着部３４）を支持する高さに設定している。
【００２６】
第１係合部１４は、船形部１１の外側面１１ｄに沿い該船形部１１の開口縁部１１ｃから底壁１１ｂ側に突出し、且つ底壁１１ｂよりも背方に突出させた係止部材１４ａで構成している。この係止部材１４ａはその先端の突出部分１４ｃに後述するアタッチメント３とのスライド係合を許容するコ形部１４ｂ（換言すれば、船形部１１の底面に一致させて設けた水平溝）を形成しており、本体長辺方向に沿って複数形成している。なお、コ形部１４ｂの形成方向は第２係合部１５との関係において説明する。
【００２７】
第２係合部１５は、図４(Ｃ)の本体２の要部拡大底面図にも示すように、平行する２個１組の係止部材１４ａを外側面１１ｄの本体長辺方向に一定間隔毎に離して形成し、これら２個１組の係止部材１４ａ間である長辺方向の係止部材１４ａ間長さＬ１の空間と、該係止部材１４ａの内面と対向する外側面１１ｄとの間にできる幅方向長さＬ２の空間とで、後述する係止片３３を収容させる係止片収容空間１５ａを形成している。さらに、２個１組の係止部材１４ａ間の中央部に相当する外側面１１ｄには本体対向（本体２の長手水平）方向に沿って小刻みに凹凸形成した外側面噛合部１５ｂ（図２）を形成している。なお、上述した第１係合部１４及び第２係合部１５は本体長辺方向に一定間隔で複数組形成されている。この実施例では両係合部１４，１５を外側面１１ｄの両側に４個ずつ（勿論、４個ずつには限られない。）形成した例を示している。
【００２８】
フランジ２０は、合成樹脂材を用いて一体成形し、そのうち、外表面にメッキや塗装等の表面処理を施したものであり、図２(Ｂ)及び図３にも示すように、フランジ板２１と、フランジ板２１に穿設された長円形の開口部２５の周囲に形成された長円形の開口縁段部２２と、係着片２３と、フランジ結合片２４（図３）とが備えられている。
【００２９】
本実施例では、フランジ板２１を船形部１１の開口縁部１１ｃより平面的に大きい長方板状で構成し、その中央の長辺方向に、船形部１１に開口された長円形の開口縁部１１ｃの開口形状より小さく開口された前述の長円形の開口部２５を形成している。上述の開口縁段部２２は、フランジ板２１の開口部２５に沿う形で下面側に全周に小幅で突設されて形成されるものであり、図４(Ｂ)に示すように既述した船形部１１の開口縁部１１ｃの外周と嵌合する段部に形成されている。
【００３０】
係着片２３は、図２に示すようにフランジ板２１の下面で、開口縁段部２２から船形部１１の壁厚をあけて引手本体１０との結合方向（背面）に向けて突出する長方板であり、長方板の中央には本実施例における被係止部１２の３枚の突片１２ａと対応する大きさにて係着口２６が開口されている。また、係着片２３は突片１２ａとの対応位置に対応し、フランジ板２１両側の長辺方向に沿って一定間隔に立設させて設けている。
【００３１】
ここで被係止部１２の突片１２ａ、係着片２３、第１係合部１４のコ形部１４ｂ及び第２係合部１５及び係止片３３との関係についてさらに説明する。第２係合部１５は船形部１１の外側面１１ｄに本実施例では４か所（勿論、４か所に限られない。）設けられているが、図２（Ａ）の手前側である一方の外側面１１ｄでは一方（同図では下側）の長辺方向端部１６ｂ寄りに形成され、他方（図２（Ａ）では向こう側）の外側面１１ｄでは他方（同図では上側）の長辺方向端部１６ａ寄りに形成され、手前側の第２係合部１５の間に向こう側の第２係合部１５が位置する、所謂千鳥状（点対称）に配置されている。
【００３２】
そして、第２係合部１５の両サイドに第１係合部１４が縦方向に設けられて、第１係合部１４の間が前述の係止片３３の係止片収容空間１５ａとなっている。そして、係止片収容空間１５ａにおける外側面１１ｄに山形状に連続する外側面噛合部１５ｂが刻設され、前述の係止片３３には同じく山形状に連続する内側面噛合部３３ａ（図６(Ａ)）が刻設され、外側面噛合部１５ｂと内側面噛合部３３ａとが係合時に適切な位置で噛合するようになっている。外側面噛合部１５ｂと内側面噛合部３３ａの凹凸は本体２の長手方向に向けて伸びており、挿入方向で外側面噛合部１５ｂと内側面噛合部３３ａが噛合するようになっている。第１係合部１４のコ形部１４ｂの開口方向は、外側面１１ｄの中央を境にして、本実施例の場合では左右２対の第１係合部１４のコ形部１４ｂが外側、すなわち船形部結合片１３側に開口している。
【００３３】
アタッチメント３は、本実施例では２分割されており、接合することで、合成樹脂材で本体２の取付基板として設けられ、図１にも示したように本体２に沿う長尺の平板状に形成されている。勿論、アタッチメント３を非分割一体もので形成してもよいが、この場合については後述する。ここでは２分割アタッチメント３について説明するが、その接合については後述する。接合されたこのアタッチメント３の長辺方向は船形部１１の底壁１１ｂ全長より長くフランジ２０の全長より短い長さで、幅方向は船形部１１両側の外側面１１ｄに突出形成されている係止部材１４ａ間長さを有し、本体２の背面側の底壁全体をアタッチメント３が面接触にて受け止める支持構造を有している。また、厚さは取付基板として十分な強度が得られる１ミリ強程度の厚さを有している。
【００３４】
そして、アタッチメント３の両側縁部３１に長辺方向に沿って平面視凹凸状の側縁係合部３２（図５）を切り欠いて設けている。この側縁係合部３２の凹部３２ａは上述した係止部材１４ａとの平面対向方向での組立時の接触を避けるための切り欠きであり、凸部３２ｂはアタッチメント３を長辺方向にスライドした時にコ形部１４ｂに係合させる係合鍔となるものである。
【００３５】
また、アタッチメント３の両側縁部３１には図６(Ａ)に示すように長辺方向に沿う複数の箇所で平面より垂直に起立する係止片３３を突出させている。この係止片３３は上述した船形部１１の外側面１１ｄに形成されている係止片収容空間１５ａに差し込まれる大きさに設けられ、前述のように突出した内側面には上述した外側面噛合部１５ｂと凹凸対応して噛合する内側面噛合部３３ａが形成されている。これらの噛合部１５ｂ，３３ａは双方の噛合面間で係止片３３が差し込まれる係止方向での移動を許容しつつ噛合を確保できるように一方の凹凸を大きく他方を小さく設定して凹凸差をつけるとよい。本実施例では山形状の外側面噛合部１５ｂの凹凸よりも内側面噛合部３３ａの凹凸を小さくして凹凸差をつけることにより噛合状態からのアタッチメント３の挿脱方向の移動を可能にしている。
【００３６】
さらに、アタッチメント３は図５にも示すように、その中央で上部アタッチメント３ａと下部アタッチメント３ｂとに長辺方向に直角にて２分割して着脱自在に構成している。これら上下部のアタッチメント３ａ，３ｂは同一部品であり、共通部品として用いられ、使用時に上下に向きを変えて連結した２個１組が一部品として用いられる。
【００３７】
アタッチメント３の着脱構造は、一端が半円形を有する上部アタッチメント３ａの場合、他端が着脱される凹凸状の分割面４１となり、同形状の下部アタッチメント３ｂの分割面４２とを突き合わせて連結する突合連結部４を有している。この突合連結部４は、分割面４１，４２において、係合凸部４３ａと係合凹部４３ｂとを隣接して形成しており、一方の分割面４１を１８０度反転させて対向させた時、互いの係合凸部４３ａと係合凹部４３ｂとが相対向することになり、突き合わせて行くと凹凸対応して連結されることになる。この凹凸対応は、嵌め殺しでもよいが、本実施例では着脱可能に係合凸部４３ａをＵ字形に突出させて幅方向に弾性変位機能を持たせている。前記係合凸部４３ａは、幅狭Ｕ形の弾性片４３ａ１に外鍔４３ａ２が形成され、係合凹部４３ｂは幅広Ｕ形の嵌合凹部４３ｂ１の開口縁に内鍔４３ｂ２が突設されている。
【００３８】
さらに、本実施例では係止片３３の突出側をアタッチメント３の表面側とし、この半円状の端部の表面側の中央に該アタッチメント固定用の取着部３４（図６）を突設している。取着部３４はアタッチメント３の表面に突出させた突部に釘やビス等の取着部材３５（図１１）を挿通させる挿通孔３６を有し、取着部材３５の取り付けを容易にしている。即ち、引戸５の引手嵌着部６に該アタッチメント３のみを取着部材３５にて取着させることが可能な構成（片面取付型で適用）としている。
【００３９】
また、アタッチメント３には平面部の一部に長方形状に貫通して開口した表示開口窓３７を有しており、この表示開口窓３７を通して船形部１１の底壁１１ｂに記載されている表示情報３８（実施例ではアタッチメント３の上下位置の向きを特定する下向き矢印を示している）を本体２との組立後に視認できるようにしている。なお、アタッチメント３の裏面側は、表面側の係止片３３と取着部３４がない平坦面である。
【００４０】
非分割一体型アタッチメント３は図示していないが、分割型と異なり、コ形部１４ｂに対して一方向からしか装着できないので、コ形部１４ｂの開口方向は全て同一方向を向くことになる。コ形部１４ｂに嵌め込めば嵌め殺しになるように、例えばコ形部１４ｂに鏃状の戻りを構成しておくことが好ましい。
【００４１】
このアタッチメント３は、アタッチメント３の表裏両面に一対の本体２を取り付ける両面取付型と、アタッチメント３の片面（表面）のみに本体２を取り付ける片面取付型との２種類の異なる連結機能を有しており、これらのいずれかを選択して取り付けることができる。この際、取付手順は異なる。なお、前記取り付けに先立ってフランジ２０が船形部１１の開口側に嵌め込まれ、図４（Ｂ）のようにフランジ２０の両サイドの係着片２３の係着口２６に船形部１１の突片１２ａが係合し、且つ、フランジ２０の開口縁段部２２の外側に船形部１１の開口縁が全周に亘って嵌まり込んで一体化する。さらに、フランジ２０の両端のフランジ結合片２４が、船形部１１の長辺方向端部１６ａ，１６ｂの外側の樹脂板１３ａ，１３ｃに係合し、フランジ２０の両端を船形部１１の長辺方向端部１６ａ，１６ｂに固定する。これにより、フランジ２０の全体が船形部１１に固定されることになる。
【００４２】
両面取付型の取付手順では、一方の本体２とアタッチメント３とを一体化してから引戸５の貫通状態の引手嵌着部６に組み込み、その後、反対面側から同形状の別の本体２（アタッチメント３なし）を結合させるよう押し込んで取り付ける構造となっている（図９）。
【００４３】
この点を詳述すると以下の通りである。上・下部アタッチメント３ａ，３ｂの係止片３３を、フランジ２０付きの本体２の船形部１１の底面に対して反対側に突出させた状態で、船形部１１の底面に上・下部アタッチメント３ａ，３ｂを対面配置する。そして、船形部１１の底面に近接するように移動させると外側面１１ｄに設けられ、底面から突出している第１係合部１４のコ形部１４ｂがフランジ２０の凹部３２ａに入り込む。上・下部アタッチメント３ａ，３ｂは別々に対面配置されるので、この時点では分割面４１，４２は互いに離間している。
【００４４】
この状態で船形部１１の底面に沿って半円形の端部１６ａ，１６ｂ側から中央に向けて上・下部アタッチメント３ａ，３ｂを互いに近接方向にスライドさせる。このスライドによって、上・下部アタッチメント３ａ，３ｂの両側縁部３１の凸部３２ｂが船形部１１の長手方向外側からコ形部１４ｂに嵌まり込む。そして、最終的に上・下部アタッチメント３ａ，３ｂの分割面４１，４２に形成された係合凸部４３ａが係合凹部４３ｂに嵌まり込み、弾性片４３ａ１の外鍔４３ａ２が嵌合凹部４３ｂ１の内鍔４３ｂ２に係合して上・下部アタッチメント３ａ，３ｂは一体となって一方の船形部１１の底面に装着される。その結果、アタッチメント３の係止片３３は一方の本体２の船形部１１の底面両脇から突出した状態で取り付けられる。
【００４５】
次に、引戸５の一方の面から引手嵌着部６に先程組み立てたアタッチメント３付きの本体２を組み込み、反対面側から同形状の別のアタッチメント３なしの本体２を結合させるよう押し込む（図９）。一方の本体２から突出した係止片３３は、反対側の本体２の外側面噛合部１５ｂに噛合し、両フランジ２０が挟み込むように引戸５の面に隙間なく当接する。引戸５の厚さの不揃いに対しては係止片３３と外側面噛合部１５ｂの噛合深さによって調節される。
【００４６】
一方、片面取付型の取付手順では、係止片３３を引手嵌着部６の開口方向に向けた状態で上・下部アタッチメント３ａ，３ｂを結合させた状態のアタッチメント３を有底の引手嵌着部６（引戸５の一方の面に掘り込み形成された有底の長穴）内に挿入し、取着部３４の挿通孔３６を利用して引戸５の引手嵌着部６にアタッチメント３を釘等の取着部材３５で打ち付けて固定し、その後から本体２を引手嵌着部６に押し込み、アタッチメント３の係止片３３を船形部１１の外側面噛合部１５ｂに噛合させて取り付ける構造となっている。引手嵌着部６の不揃いは前記噛合深さによって調整される。これによってフランジ２０は引戸５の引手嵌着部６周囲の表面に隙間なく当接する。
【００４７】
さらに、アタッチメント３の取り付けに際して、アタッチメント３の長辺方向端部１６ａ，１６ｂだけでなく、長辺方向中央部をも取着部材３５で取着してアタッチメント３の取着信頼性を高めてもよい。この時は、アタッチメント３の分割面４１，４２である互いのＵ字形の弾性片４３ａ１間にできる空間を取着部材３５の取着空間とし、ここに取着部材３５を打ち付けてアタッチメント３の中央部を固定するとよい。
【００４８】
以上説明したように、アタッチメント３の表裏を両面利用するか片面利用するかで両面取付と片面取付とのいずれかを自由に選択することができる。さらに、長尺引手であっても長辺方向の複数の箇所で係合できるので全体に亘り均一な固定を実現できることになり、長尺引手は変形し難く、反り等の不安定要素が解消された高品質の長尺引手が得られる。
【符号の説明】
【００４９】
１…建具用引手              ２…本体
３…アタッチメント          ３ａ…上部アタッチメント
３ｂ…下部アタッチメント    ４…突合連結部
５…引戸                    ６…引手嵌着部
１０…引手本体              １１…船形部
１１ａ…凹部                １１ｂ…底壁
１１ｃ…開口縁部            １１ｄ…外側面
１２…被係止部              １２ａ…突片
１２ｂ…補強部              １３…船形部結合片
１３ａ，１３ｂ，１３ｃ…樹脂板
１４…第１係合部            １４ａ…係止部材
１４ｂ…コ形部              １４ｃ…突出部分
１５…第２係合部            １５ａ…係止片収容空間
１５ｂ…外側面噛合部        １６ａ，１６ｂ…長辺方向端部
２０…フランジ              ２１…フランジ板
２２…開口縁段部            ２３…係着片  
２４…フランジ結合片        ２５…開口部
２６…係着口                ３１…側縁部  
３２…側縁係合部            ３２ａ…凹部
３２ｂ…凸部                ３３…係止片
３３ａ…内側面噛合部        ３４…取着部
３５…取着部材              ３６…挿通孔
３７…表示開口窓            ３８…表示情報
４１，４２…分割面          ４３ａ…係合凸部
４３ａ１…弾性片            ４３ａ２…外鍔
４３ｂ…係合凹部            ４３ｂ１…嵌合凹部
４３ｂ２…内鍔              Ｌ１…係止部材間長さ
Ｌ２…幅方向長さ
【図１】
0005889262.tif 000002
【図２】
0005889262.tif 000003
【図３】
0005889262.tif 000004
【図４】
0005889262.tif 000005
【図５】
0005889262.tif 000006
【図６】
0005889262.tif 000007
【図７】
0005889262.tif 000008
【図８】
0005889262.tif 000009
【図９】
0005889262.tif 000010
【図１０】
0005889262.tif 000011
【図１１】
0005889262.tif 000012